(57)【要約】【課題】カメラの本来の操作性を制約することが少なく、それを装着しない時と同じ様に機動的に操作できるカメラのレインカバーを提供することを目的とする。【解決手段】本発明では透明な軟質のシート、複数の透明な硬質の板、カメラのストロボ取り付け部に勘合する部材を組み合わせた構造と、本発明が対象とする一眼レフカメラにおける、カメラ上部のストロボ取付部、カメラ底部のカメラネジ部にカメラのレインカバーを取り付けることによって、上記課題を解決する。【選択図】図１
2014092684.tif 000002
【特許請求の範囲】
【請求項１】
透明な軟質のシートと、複数の透明な硬質の板を貼り合わせた構造で、透明な軟質のシート部で折り曲げ可能となったカメラのレインカバー。
【請求項２】
透明な軟質のシートと、複数の透明な硬質の板を貼り合わせた構造で、透明な軟質のシート部で折り曲げ可能となったカメラのレインカバーの一部に、カメラネジが挿入可能な穴と、カメラ本体に設けられたストロボ取り付け部と勘合する硬質の嵌合部材を配してなるカメラのレインカバー。
【請求項３】
透明な軟質のシートと、複数の透明な硬質の板を貼り合わせた構造で、透明な軟質のシート部で折り曲げ可能となったカメラのレインカバーの一部に、カメラネジが挿入可能な穴と、カメラ本体に設けられたストロボ取り付け部と勘合する硬質の嵌合部材を取り付けるためのネジが挿入可能な穴を配してなるカメラのレインカバー。
【請求項４】
コの字型をした透明の材料で構成されたカメラのレインカバーであって、その一部にカメラネジが挿入可能な穴と、カメラ本体に設けられたストロボ取り付け部と勘合する硬質の嵌合部材を配してなるカメラのレインカバー。
【請求項５】
コの字型をした透明の材料で構成されたカメラのレインカバーであって、カメラネジが挿入可能な穴と、カメラ本体に設けられたストロボ取り付け部と勘合する硬質の嵌合部材を取り付けるためのネジが挿入可能な穴を配してなるカメラのレインカバー。
【発明の詳細な説明】
【技術分野】
【０００１】
本発明は、主として一眼レフカメラの雨天時の雨滴によるカメラの濡れ防止用カバーに関するものである。
【背景技術】
【０００２】
従来のカメラ用のレインカバーは下記先行技術文献に見られるごとく、透明あるいは不透明な袋にカメラ本体を収納して雨滴からの濡れを防止するものであった。
【先行技術文献】
【特許文献】
【０００３】
【特許文献１】特開２００６−２０１６５９号公報
【特許文献２】特開２００７−５８１４２号公報
【発明の概要】
【発明が解決しようとする課題】
【０００４】
従来のカメラを袋に入れる方式のカメラのレインカバーは、カメラにカメラのレインカバーを装着することにしばらくの時間を要する。
【０００５】
またカメラのレインカバーを装着した状態ではカメラ３が見えない状態となり、カメラの使用上において機動性が大きく損なわれ、写真撮影において最も重要なシャッターチャンスを逃す可能性が大きくならざるを得ないものであった。
【課題を解決するための手段】
【０００６】
本発明は透明の材料、軟質の材料、硬質の材料を組み合わせた構造と、本発明が対象とする一眼レフカメラにおける、ストロボ取付部、カメラネジ部を利用することを特徴とする。
【発明の効果】
【０００７】
本発明は上記の課題を解決し、且つ、持ち運び時にも素早く折りたたむことによってカメラバッグ等への収納、取り出しを容易とし、携帯性を高めたものである。
【図面の簡単な説明】
【０００８】
【図１】本発明のカメラのレインカバーの使用実施例を示す斜視図である。
【図２】本発明のカメラのレインカバーを解りやすくする為の、図１の側面図である。
【図３】本発明のカメラのレインカバーを解りやすくする為、図１に置ける透明なレインカバーを不透明にして示した斜視図である。
【図４】本発明のカメラのレインカバーに最適の一眼レフカメラである。
【図５】図４に示す一眼レフカメラの底面からの斜視図である。
【図６】本発明のカメラのレインカバーの実施例を示す斜視図である。
【図７】本発明のカメラのレインカバーのカメラ取り付け側からの実施例を示す斜視図である。
【図８】本発明のカメラのレインカバーの一眼レフカメラのストロボ取り付け部との嵌合ブラケット拡大図である。
【図９】本発明のカメラのレインカバーの収納時の実施例を示す斜視図である。
【図１０】本発明のカメラのレインカバーの収納時の実施例を解りやすくする為の図７の側面図である。
【図１１】本発明のカメラのレインカバー図６の展開図である。
【発明を実施するための形態】
【０００９】
本実施のカメラのレインカバー１は、図６、図７、図１１のごとく、透明な軟質のシート１１上に、透明な硬質の板、１２、１３、１４が透明度を損なうことなく接着され、図８に示すブラケット１５がネジどめされている。
【００１０】
またカメラのレインカバー１には透明な軟質のシート１１、透明な硬質の板１４を貫通してカメラネジ用の長穴１６が穿たれている。
【００１１】
次に本実施例のカメラのレインカバーの一眼レフカメラへの取り付けについて説明する。
図１から図３は本実施例のカメラのレインカバーの取り付けを示した図であり、カメラネジ４を図６、図７、図１１に示すカメラのレインカバー１の穴１６に通した後、図５に示す一眼レフカメラのカメラネジ部３２に締め付けることにより、一眼レフカメラの底面にカメラのレインカバー１を取り付ける。
【００１２】
次にカメラのレインカバー１にネジどめされたブラケット１５を一眼レフカメラ３に設けられたストロボ取り付け部３１に差し込むことによってカメラのレインカバー１は一眼レフカメラ３にしっかりと固定される。
【００１３】
なお、ブラケット１５には突起１５−１、長穴１５−２がそれぞれ２箇所ずつ穿たれており、ブラケット１５をストロボ取り付け部３１に挿入する際、適度の力で挿入することができるようになっており、かつ簡単には抜けない構造となっている。
【００１４】
なお、ブラケット１５は００１２に述べた如くネジどめされている為、ブラケット１５を取り替えることが可能で、対象となるカメラ本体の交換による、ストロボ取り付け部３１の形状変化にも対応可能である。
【００１５】
図１に示すカメラのレインカバー１、カメラのレインカバー・レンズ２はブラケット１５を除いて全て透明な材質で構成されているため、カメラのレインカバー１、カメラのレインカバー・レンズ２越しに一眼レフカメラ３の操作ボタン類３３、３７、ファインダー覗き穴３６、液晶３４等全てが、カメラのレインカバー１、カメラのレインカバー・レンズ２を装着しない時と同じように視認することができる。
【００１６】
しかし、本実施例のカメラのレインカバー１の平面部１９の汚れ等で撮影時にファインダーの像が見にくい等の場合は図３、図６、図７、図１１等に示す如くカメラのレインカバー１の平面部１９に、雨滴によるカメラの防濡れ性を大きく損なうことなく丸穴１８を穿つことも可能である。雨滴によるカメラの防濡れ性を重要視する場合は丸穴１８は無くても良い。
【００１７】
図２はカメラのレインカバー１と一眼レフカメラ３との隙間５を示しており、このような隙間を作ることによって、カメラのレインカバー１と一眼レフカメラ３との間に指を入れることができる。
【００１８】
上記の操作ボタン類３３、３７、ファインダー覗き穴３６、液晶３４等の視認性、カメラのレインカバー１と一眼レフカメラ３との間に指を入れることができることにより、カメラの操作性は、カメラのレインカバー１を装着しない状態と大きく変わるところがない。
【００１９】
また、図１、図３、図１１等で解るように、軟質のシート１１が硬質の板１２、１３、１４より面積が大きく、硬質の板１２、１３、１４の端面よりはみ出した状態であるため、一眼レフカメラの操作ボタンを操作するときに指が軟質のシート１１に接触はするが、硬質の板に接触することがなく指を傷めることがない。
【００２０】
上に説明した機能は図２、図３、図６、図７に見られるごとく、本発明のカメラのレインカバー１が、透明な軟質のシートのみで構成、あるいは透明な硬質の板のみで構成されたものではなく、透明な軟質のシートと、複数の透明な硬質の板を貼り合わせた構成によってコの字型を維持し、しかもその端部は柔らかな部材で構成することを可能にしていることが寄与している。このことによって本発明のカメラのレインカバー１を装着したカメラでは、従来のレインカバーに見られる袋越しにカメラを操作する等の操作の不便さがない。
【００２１】
次にカメラのレインカバー１の携帯性能について説明する。
図１１では、カメラのレインカバー１を分かりやすくするため展開した状態で示されているが、透明な軟質のシート１１に、透明な硬質の板１２、１３、１４が透明度を損なうことなく接着されている。
【００２２】
カメラのレインカバーとして一眼レフカメラに装着するときは1点鎖線１７で示される2箇所で約９０度に折り曲げ、図３、図６、図７で解るようにコの字型にして使用する。
【００２３】
カメラのレインカバーとして使用せず携帯するときは2本の1点鎖線１７で１８０度折り返せば、コの字型のものが5ミリ前後の薄いものとなり携帯性に優れたものとなる。
【００２４】
次にカメラのレインカバー・レンズ２について説明する。
カメラのレインカバー・レンズ２は透明の軟質材料であって、一方はカメラのレインカバー１のレンズ側の端の面、他方はレンズ３５の鏡筒の外周面に両面接着テープで取り付けられる。レンズ側の接着はレンズが交換されるために取り外しが可能な構造となっている（図示せず）。
【００２５】
交換されたレンズの長さの長短に対応するため、カメラのレインカバー・レンズ２はジャバラ構造とされる。
【符号の説明】
【００２６】
１      カメラのレインカバー
２      カメラのレインカバー・レンズ
３      一眼レフカメラ
４      カメラネジ
５      隙間
１１     透明で軟質のシート
１２     透明の硬質な板
１３     透明の硬質な板
１４     透明の硬質な板
１５     ブラケット
１５-１  突起
１５-２   長穴
１６    カメラネジ用の長穴
１７    一点鎖線
１８    丸穴
１９    平面部
３１    ストロボ取り付け部
３２    カメラネジ部
３３    操作ボタン類
３４    液晶
３５    レンズ
３６    ファインダー覗き穴
３７    操作ボタン類
【図１】
2014092684.tif 000003
【図２】
2014092684.tif 000004
【図３】
2014092684.tif 000005
【図４】
2014092684.tif 000006
【図５】
2014092684.tif 000007
【図６】
2014092684.tif 000008
【図７】
2014092684.tif 000009
【図８】
2014092684.tif 000010
【図９】
2014092684.tif 000011
【図１０】
2014092684.tif 000012
【図１１】
2014092684.tif 000013